(57)【要約】【課題】  外部通信装置との間での通信設定を一度の作業により設定できる画像検査装置を提供する。【解決手段】  画像検査装置１は、カメラ２により撮像された画像データを用いて、当該画像に含まれる対象物の検査を行うものであり、外部通信装置との間で通信を行う外部通信Ｉ／Ｆ１４と、外部通信Ｉ／Ｆ１４による通信設定情報を、画像データに含まれる型番情報から認識して、当該認識した通信設定情報に基づいて、外部通信Ｉ／Ｆ１４が外部通信装置との間での通信処理を可能とさせるＣＰＵ１１を備え、画像データを用いた対象物の検査を行う画像検査モードと、ＣＰＵ１１が通信手段の通信処理を可能とさせる通信設定モードとが、切り換え可能となっている。【選択図】      図１
2010278503.tif 000002
【特許請求の範囲】
【請求項１】
撮像手段により撮像された画像データを用いて、当該画像に含まれる対象物の検査を行う画像検査手段と、
外部通信装置との間で通信を行う通信手段と、
前記通信手段による通信設定情報を、画像データに含まれる型番情報から認識して、当該認識した通信設定情報に基づいて、前記通信手段が外部通信装置との間での通信処理を可能とさせる通信設定手段とを備え、
前記画像検査手段が前記画像データを用いた対象物の検査を行う画像検査モードと、前記通信設定手段が前記通信手段の通信処理を可能とさせる通信設定モードとが、切り換え可能となっていることを特徴とする画像検査装置。
【請求項２】
前記通信設定手段は、予め設定された型番情報を内部メモリに記憶しておき、当該記憶している型番情報と前記画像データに含まれる型番情報とを比較して、前記通信設定情報を認識することを特徴とする請求項１に記載の画像検査装置。
【請求項３】
前記通信設定手段は、外部サーバから、前記型番情報に対応した通信設定情報をダウンロードすることを特徴とする請求項１に記載の画像検査装置。
【請求項４】
前記通信設定手段は、前記型番情報に対応した通信設定情報を認識できない場合に、前記画像データを添付したメールデータを外部サーバに送信し、当該外部サーバからメールデータに添付した画像データに対応した通信設定情報を受信することを特徴とする請求項１に記載の画像検査装置。
【請求項５】
前記通信設定手段は、前記画像データを、前記画像検査手段により対象物の検査を行うための撮像手段により撮像させることを特徴とする請求項１に記載の画像検査装置。
【請求項６】
前記通信設定手段は、前記画像データを、通信回線を介して接続された撮像手段により撮像させることを特徴とする請求項１に記載の画像検査装置。
【請求項７】
前記通信設定手段は、前記画像データを外部サーバに送信して、当該外部サーバにより通信設定情報を認識させて、当該通信設定情報を受信することを特徴とする請求項１に記載の画像検査装置。
【発明の詳細な説明】
【技術分野】
【０００１】
本発明は、対象物の検査のために対象物の撮像画像に対して処理を行う画像検査装置に関する。
【背景技術】
【０００２】
従来より、対象物を撮像して、撮像した画像を検査する技術が、下記の特許文献１などにて知られている。この技術は、ビン（壜）容器の擦り傷の程度に応じた良否判定を行うものである。この特許文献１には、撮像装置から送られる監視画像等を表示するモニタＴＶを見ながらセンサ情報を容易に知ることができることが記載されている。
【先行技術文献】
【特許文献】
【０００３】
【特許文献１】特開平８−１２４０７８号公報
【発明の概要】
【発明が解決しようとする課題】
【０００４】
上述した従来の画像検査装置においては、当該画像検査装置の動作の制御、画像検査装置による検査結果を外部通信装置との間で通信をしていた。しかし、画像検査装置により外部通信装置との間で通信設定を行うためには、設定作業者が、画像検査装置の取扱説明書と通信機器の取扱説明書とを読み比べながら通信設定が一致するようにする必要があった。
【０００５】
また、同じメーカの商品であっても、新しいコマンドが追加された場合など、画像検査装置が開発又は発売された時期によって通信設定が異なる。更に、通信設定でも、複数の設定項目があり、全て一致しないと正しく通信できない。
【０００６】
そこで、本発明は、上述した実情に鑑みて提案されたものであり、外部通信装置との間での通信設定を一度の作業により設定できる画像検査装置を提供することを目的とする。
【課題を解決するための手段】
【０００７】
本発明は、撮像手段により撮像された画像データを用いて、当該画像に含まれる対象物の検査を行う画像検査手段と、外部通信装置との間で通信を行う通信手段と、通信手段による通信設定情報を、画像データに含まれる型番情報から認識して、当該認識した通信設定情報に基づいて、通信手段が外部通信装置との間での通信処理を可能とさせる通信設定手段とを備え、画像検査手段が画像データを用いた対象物の検査を行う画像検査モードと、通信設定手段が通信手段の通信処理を可能とさせる通信設定モードとが、切り換え可能となっていることを特徴とする。
【０００８】
また、本発明において、通信設定手段は、予め設定された型番情報を内部メモリに記憶しておき、当該記憶している型番情報と画像データに含まれる型番情報とを比較して、通信設定情報を認識することを特徴とする。
【０００９】
更に、本発明において、通信設定手段は、外部サーバから、型番情報に対応した通信設定情報をダウンロードすることを特徴とする。
【００１０】
更にまた、本発明において、通信設定手段は、型番情報に対応した通信設定情報を認識できない場合に、画像データを添付したメールデータを外部サーバに送信し、当該外部サーバからメールデータに添付した画像データに対応した通信設定情報を受信することを特徴とする。
【００１１】
更にまた、本発明において、通信設定手段は、画像データを、画像検査手段により対象物の検査を行うための撮像手段により撮像させることを特徴とする。
【００１２】
更にまた、本発明において、通信設定手段は、画像データを、通信回線を介して接続された撮像手段により撮像させることを特徴とする。
【００１３】
更にまた、本発明において、通信設定手段は、画像データを外部サーバに送信して、当該外部サーバにより通信設定情報を認識させて、当該通信設定情報を受信することを特徴とする。
【発明の効果】
【００１４】
本発明によれば、外部通信装置との間で通信を行う通信手段による通信設定情報を、画像データに含まれる型番情報から認識して、当該認識した通信設定情報に基づいて、通信手段が外部通信装置との間での通信処理を可能とさせるので、外部通信装置との間での通信設定を一度の作業により設定できる。
【００１５】
更に、本発明によれば、外部サーバから、型番情報に対応した通信設定情報をダウンロードするので、新たな通信設定情報が必要な場合であっても、外部通信装置との間での通信設定を実現できる。
【００１６】
更にまた、本発明によれば、通信設定手段は、型番情報に対応した通信設定情報を認識できない場合に、画像データを添付したメールデータを外部サーバに送信すれば、当該画像データに対応した通信設定情報を受信できるので、喩え型番情報が認識できない場合でも、通信設定情報を取得できる。
【図面の簡単な説明】
【００１７】
【図１】本発明の第１実施形態として示す画像検査装置の一構成例を示すブロック図である。
【図２】本発明の第１実施形態として示す画像検査装置と接続された通信機器の一構成例を示すブロック図である。
【図３】本発明の第１実施形態として示す画像検査装置による通信設定動作例を示すフローチャートである。
【図４】本発明の第１実施形態として示す画像検査装置による通信設定動作例を示すフローチャートである。
【図５】本発明の第２実施形態として示す画像検査装置の一構成例を示すブロック図である。
【図６】本発明の第２実施形態として示す画像検査装置による通信設定動作例を示すフローチャートである。
【図７】本発明の第３実施形態として示す画像検査装置の一構成例を示すブロック図である。
【図８】本発明の第３実施形態として示す画像検査装置による通信設定動作例を示すフローチャートである。
【図９】本発明の第３実施形態として示す画像検査装置と接続された設定情報供給サーバの動作例を示すフローチャートである。
【図１０】本発明の第４実施形態として示す画像検査装置の一構成例を示すブロック図である。
【図１１】本発明の第５実施形態として示す画像検査装置の一構成例を示すブロック図である。
【図１２】本発明の第５実施形態として示す画像検査装置の他の構成例を示すブロック図である。
【図１３】本発明の第５実施形態として示す画像検査装置に接続されたデジタルカメラの動作例を示すフローチャートである。
【図１４】本発明の第５実施形態として示す画像検査装置による通信設定動作例を示すフローチャートである。
【図１５】本発明の第６実施形態として示す画像検査装置の一構成例を示すブロック図である。
【図１６】本発明の第６実施形態として示す画像検査装置の機能的な一構成例を示すブロック図である。
【図１７】本発明の第６実施形態として示す画像検査装置と接続されたパソコンの動作例を示すフローチャートである。
【図１８】本発明の第６実施形態として示す画像検査装置による通信設定動作例を示すフローチャートである。
【発明を実施するための形態】
【００１８】
以下、本発明の実施の形態について図面を参照して説明する。
【００１９】
［第１実施形態］
本発明の第１実施形態として示す画像検査装置１は、例えば図１及び図２のように構成される。
【００２０】
画像検査装置１は、ＣＰＵ１１、カメラインターフェース１２、外部メモリＩ／Ｆ１３、外部通信Ｉ／Ｆ１４、ＲＯＭ１５、ＲＡＭ１６を有する。また、画像検査装置１は、カメラインターフェース１２を介して、カメラ２と接続されている。また、画像検査装置１は、図２に示すように、外部通信Ｉ／Ｆ１４を介して、外部通信装置である通信機器３と接続されている。画像検査装置１と通信機器３とは、画像検査装置１の外部通信Ｉ／Ｆ１４と、通信機器３の通信Ｉ／Ｆ３１とが同じ通信プロトコルにより通信処理を行う。ここで、通信機器３には、当該通信機器の銘板３２が描かれている。
【００２１】
これにより、画像検査装置１と通信機器３とは、相互に情報を授受できるようになっている。画像検査装置１と通信機器３との間で通信する情報としては、画像検査装置１の検査対象や検査内容を変更するコマンド、画像検査装置１の検査結果等が含まれる。具体的には、画像検査装置１の制御コマンドとしては、画像検査装置１により対象物の検査を実行する命令、設定されている検査内容を切り換える命令が含まれる。また、画像検査装置１から送信する情報としては、検査結果の合否、データ値などが含まれる。
【００２２】
ＣＰＵ１１は、カメラ２により撮像された画像データを用いて、当該画像に含まれる対象物の検査を行う画像検査手段として機能する。
【００２３】
外部通信Ｉ／Ｆ１４は、外部通信装置である通信機器３との間で通信を行う通信手段として機能する。ＣＰＵ１１は、当該外部通信Ｉ／Ｆ１４による通信設定情報（通信プロトコル情報）を、画像データに含まれる型番情報から認識して、当該認識した通信設定情報に基づいて、外部通信Ｉ／Ｆ１４が通信機器３との間での通信処理を可能とさせる通信設定手段として機能する。通信プロトコル情報としては、ボーレートの設定、ビット長、パリティの設定等が含まれる。
【００２４】
このような画像検査装置１は、ＣＰＵ１１が画像データを用いた対象物の検査を行う画像検査モードと、ＣＰＵ１１が外部通信Ｉ／Ｆ１４の通信処理を可能とさせる通信設定モードとが、切り換え可能となっている。
【００２５】
また、ＣＰＵ１１は、外部通信Ｉ／Ｆ１４の通信設定を行うに際し、予め設定された型番情報を内部メモリであるＲＯＭ１５に記憶しておいても良い。そして、ＣＰＵ１１は、該記憶している型番情報と画像データに含まれる型番情報とを比較して、通信設定情報を認識することができる。
【００２６】
このような画像検査装置１は、例えば図３に示すように、先ずステップＳ１において、カメラ２により通信機器３の銘板３２やロゴ等の型番情報を撮像する。この通信機器３の銘板３２やロゴは、画像検査装置１が通信機器３と通信するために、当該通信機器３の通信プロトコルに対応したものとして配布されている刊行物、Ｗｅｂから取り出した絵柄である。
【００２７】
次のステップＳ２において、画像検査装置１は、カメラ２により撮像してカメラインターフェース１２により受信した画像データを、ＣＰＵ１１により文字認識する。
【００２８】
次のステップＳ３において、画像検査装置１は、ステップＳ２にて文字認識した結果としての型番情報に基づいて通信設定情報を認識して、外部通信Ｉ／Ｆ１４が通信機器３と通信するための情報として、通信設定する。これにより、外部通信Ｉ／Ｆ１４は、ステップＳ１にて撮像された通信機器３の銘板３２やロゴに対応した通信機器３と同じ通信プロトコルが設定されて、通信機器３との間で通信が可能となる。
【００２９】
また、画像検査装置１は、図４に示すように、ステップＳ１’にてカメラ２で型番情報を取得するための画像を撮像し、ステップＳ２にてＣＰＵ１１により文字認識を行う。
【００３０】
次のステップＳ１１において、ＣＰＵ１１は、予め設定された型番情報と通信設定情報とのテーブルを、内部メモリとしてのＲＯＭ１５から参照する。そして、当該テーブルから、ステップＳ２にて文字認識された型番情報に対応した通信設定情報を取得する。これにより、画像検査装置１は、ステップＳ３にて、外部通信Ｉ／Ｆ１４の通信設定をすることができる。
【００３１】
以上説明したように、第１実施形態として示した画像検査装置１によれば、通信機器３との間での通信設定を一度の作業により設定できる。
【００３２】
［第２実施形態］
つぎに、第２実施形態に係る画像検査装置１について説明する。なお、上述の第１実施形態と同様の部分については同一符号を付することによりその詳細な説明を省略する。
【００３３】
この画像検査装置１は、図５に示すように、外部通信Ｉ／Ｆ１４として２個の外部通信Ｉ／Ｆ１４Ａ、１４Ｂを備える。外部通信Ｉ／Ｆ１４Ａには、ルータ４が接続されている。一方、外部通信Ｉ／Ｆ１４Ｂには、第１実施形態と同様に、通信機器３が接続される。
【００３４】
ルータ４は、インターネットを介して、通信機器３のメーカ側システム５と通信可能となっている。メーカ側システム５は、インターネットと接続されたルータ５１、設定情報供給サーバ５２とを含む。
【００３５】
このような画像検査装置１は、ＣＰＵ１１により、外部通信Ｉ／Ｆ１４Ｂが通信機器３と通信を可能とするための通信設定情報を、外部サーバである設定情報供給サーバ５２から、型番情報に対応した通信設定情報をダウンロードする。このとき、ＣＰＵ１１は、画像データから取得した型番情報を、外部通信Ｉ／Ｆ１４Ａから、設定情報供給サーバ５２に宛てて送信する。これに対し、設定情報供給サーバ５２は、受信した型番情報に対応する通信設定情報を、画像検査装置１に宛てて返信する。これにより、ＣＰＵ１１は、外部通信Ｉ／Ｆ１４Ｂに、通信機器３と通信するための通信設定情報を設定できる。
【００３６】
このような画像検査装置１は、図６に示すように、先ずステップＳ１にて通信機器３の銘板３２やロゴをカメラにより撮像し、ステップＳ２により、文字認識により型番情報を取得する。
【００３７】
次のステップＳ１１において、ＣＰＵ１１は、予め設定された型番情報と通信設定情報とのテーブルを、内部メモリとしてのＲＯＭ１５から参照する。そして、ステップＳ２２において、ＣＰＵ１１は、当該テーブルから、ステップＳ２にて文字認識された型番情報に対応した通信設定情報が取得できたか否かを判定する。通信設定情報が取得できた場合には、ステップＳ３にて、取得した通信設定情報を用いて、外部通信Ｉ／Ｆ１４Ｂの通信設定をすることができる。
【００３８】
一方、ステップＳ２２において通信設定情報が取得できない場合には、ステップＳ２４に処理を進める。ステップＳ２４において、ＣＰＵ１１は、外部通信Ｉ／Ｆ１４Ａを介して、メーカ側システム５の設定情報供給サーバ５２に接続する。
【００３９】
次のステップＳ２５において、ＣＰＵ１１は、ステップＳ２にて文字認識した結果としての通信機器３の型番情報を、設定情報供給サーバ５２に送信する。これに対し、設定情報供給サーバ５２は、受信した通信機器３の型番情報に対応する通信設定情報を検索して、通信設定情報を画像検査装置１宛てに返信する。
【００４０】
次のステップＳ２６において、ＣＰＵ１１は、外部通信Ｉ／Ｆ１４Ａを介して、設定情報供給サーバ５２から返信された通信設定情報を受信する。これにより、ＣＰＵ１１は、受信した通信設定情報を用いて、外部通信Ｉ／Ｆ１４Ｂに、通信設定を行うことができる。
【００４１】
以上のように、画像検査装置１によれば、作業者が手元に保持している通信機器３の銘板３２やロゴから認識した型番情報に対応した通信設定情報を記憶していない場合であっても、通信機器３の通信設定情報を保有する設定情報供給サーバ５２から、当該通信機器３の通信設定情報を取得することができる。これにより、画像検査装置１によれば、新たな通信機器３を導入した場合であっても、確実にメーカ側システム５から通信設定情報を取得できる。
【００４２】
［第３実施形態］
つぎに、第３実施形態に係る画像検査装置１について説明する。なお、上述の実施形態と同様の部分については同一符号を付することによりその詳細な説明を省略する。
【００４３】
この画像検査装置１は、図７に示すように、メーカ側システム５にメールサーバ５３と接続されている点で、第２実施形態とは異なる。メールサーバ５３は、ルータ５１と設定情報供給サーバ５２との間に設けられている。
【００４４】
このような画像検査装置１は、ＣＰＵ１１により、画像データにより型番情報が認識できない場合に、外部通信Ｉ／Ｆ１４Ｂが通信機器３と通信を可能とするための通信設定情報を、メールデータにより要求する。このとき、ＣＰＵ１１は、画像データを添付したメールデータを、外部通信Ｉ／Ｆ１４Ａからメールサーバ５３に宛てて送信する。メールサーバ５３は、受信したメールデータから画像データを取り出して、設定情報供給サーバ５２に供給する。これに対し、設定情報供給サーバ５２は、受信した画像データから型番情報を認識し、当該型番情報に対応する通信設定情報を、メールサーバ５３に宛てて返信する。そして、メールサーバ５３は、通信設定情報を含むメールデータを画像検査装置１に送信する。これにより、ＣＰＵ１１は、外部通信Ｉ／Ｆ１４Ｂに、通信機器３と通信するための通信設定情報を設定できる。
【００４５】
このような画像検査装置１は、図８に示すように、先ずステップＳ１にて通信機器３の銘板３２やロゴをカメラにより撮像し、ステップＳ２により、文字認識により型番情報を取得する。
【００４６】
次のステップＳ３１において、ＣＰＵ１１は、ステップＳ２における文字認識により型番情報が取得できたか否かを判定する。文字認識により型番情報が取得できた場合にはステップＳ１１に処理を進める。このステップＳ１１以降は、図６のステップＳ１１以降と同様の処理である。一方、文字認識により型番情報が取得できなかった場合には、ステップＳ３２に処理を進める。
【００４７】
ステップＳ３２において、ＣＰＵ１１は、ステップＳ１にて撮像した画像データをメールデータに添付して、メーカ側システム５に送信する。このとき、ＣＰＵ１１は、予めＲＯＭ１５に記憶された通信機器３のメーカのサポートアドレスを宛先アドレスに設定したメールデータを作成し、当該メールデータに画像データを添付する。その後、画像検査装置１は、サポート側機器としてのメーカ側システム５から返信されたメールデータの受信を待機する状態となる（ステップＳ３３）。
【００４８】
このメールデータは、外部通信Ｉ／Ｆ１４Ａから送信され、ルータ４、インターネット、ルータ５１を介してメールサーバ５３に受信される。
【００４９】
図９に示すように、メールサーバ５３は、メールデータを受信すると、ステップＳ４１において、宛先アドレスが自己のサポートアドレスとなっていることを確認して、添付されていた画像データを設定情報供給サーバ５２に転送する。
【００５０】
設定情報供給サーバ５２は、ステップＳ４２において、画像データに対して文字認識をして、ステップＳ４３にて通信機器３の型番情報を取得し、当該型番情報に対応した通信設定情報を取得する。そして、通信設定情報は、メールサーバ５３に供給される。メールサーバ５３は、通信設定情報を取得すると、ステップＳ４４において、当該通信設定情報を含むメールデータを作成し、宛先アドレスを画像検査装置１のアドレスに設定して、返信する。
【００５１】
画像検査装置１は、外部通信Ｉ／Ｆ１４Ａにより、メールサーバ５３から返信されると、ステップＳ３４において、メールデータが到着したことを判定する。
【００５２】
次のステップＳ２６’において、ＣＰＵ１１は、ステップＳ３４にて到着したことを判定したメールデータに含まれる通信設定情報を取得する。そして、ＣＰＵ１１は、ステップＳ２７において、当該通信設定情報を用いて、外部通信Ｉ／Ｆ１４Ｂが通信機器３と通信をできるように通信設定を行う。
【００５３】
以上のように、画像検査装置１によれば、通信機器３の銘板３２やロゴの文字認識をできなくても、当該撮像した画像データをメールデータに添付してメーカ側システム５に送信するのみで、当該画像データに対応した通信設定情報を取得できる。これにより、通信機器３の銘板３２やロゴが、予め想定されている形態とは異なっており、文字認識により型番情報が取得できなくても、通信機器３の通信設定情報を取得できる。また、この画像検査装置１によれば、第２実施形態と同様の効果も発揮できる。これにより、画像検査装置１によれば、新たな通信機器３を導入した場合であっても、確実にメーカ側システム５から通信設定情報を取得できる。
【００５４】
［第４実施形態］
つぎに、第４実施形態に係る画像検査装置１について説明する。なお、上述の実施形態と同様の部分については同一符号を付することによりその詳細な説明を省略する。
【００５５】
第４実施形態として示す画像検査装置１は、図１０に示すように、通信機器３の銘板３２やロゴを撮像して型番情報を取得するためのカメラを、画像検査装置用カメラ２’としたものである。ここで、上述した実施形態においては、対象物を検査するためのカメラに限らず、解像度の低いカメラであれば良いが、本実施形態においては、画像検査手段により対象物の検査を行うための撮像手段である画像検査装置用カメラ２’を用いる。これにより、画像検査装置１は、文字認識用のカメラを用いることなく、現存の設備に追加する必要がなく、上述した効果と同様の効果を発揮できる。
【００５６】
［第５実施形態］
つぎに、第５実施形態に係る画像検査装置１について説明する。なお、上述の実施形態と同様の部分については同一符号を付することによりその詳細な説明を省略する。
【００５７】
第５実施形態として示す画像検査装置１は、図１１に示すように、デジタルカメラ６Ｂにより撮像した画像データを用いて、型番情報を取得するものである。デジタルカメラ６Ｂは、画像検査装置１の設定作業者により操作され、通信機器３の銘板３２やロゴを撮像して得た画像データを外部メモリインターフェース６１を介して、外部メモリーカード６Ａに記憶させる。
【００５８】
画像検査装置１は、外部メモリＩ／Ｆ１３として、外部メモリーカード６Ａの着脱が可能となっており、当該外部メモリーカード６Ａから画像データを読み出す。そして、外部通信Ｉ／Ｆ１４Ｂの通信設定時には、外部メモリーカード６Ａから読み出した画像データを用いて通信設定情報を取得できる。
【００５９】
また、第５実施形態として示す画像検査装置１は、図１２に示すように、外部通信Ｉ／Ｆ１４Ａと通信回線を介してデジタルカメラ６Ｂとを接続した構成により、画像データを取得しても良い。画像検査装置１は、外部通信Ｉ／Ｆ１４Ａに対してハブ４ａ、ネットワークＩ／Ｆ４ｂ、パソコン４ｃを接続することができる。また、外部メモリーカード６Ａに記憶された画像データは、メモリーカードリーダ６Ｃにより読み出して、パソコン４ｃに取込が可能となっている。これにより、通信機器３の銘板３２やロゴ等の画像データは、パソコン４ｃ、ネットワークＩ／Ｆ４ｂ、ハブ４ａを介して、外部通信Ｉ／Ｆ１４Ａにより取得される。
【００６０】
このような画像検査装置１に接続されたデジタルカメラ６Ｂは、図１３に示すように、設定作業者により操作されて通信機器３の銘板３２やロゴ等を撮像し（ステップＳ５１）、当該撮像した画像データを外部メモリインターフェース６１を介して外部メモリーカード６Ａに保存する（ステップＳ５２）。
【００６１】
そして、外部メモリーカード６Ａが画像検査装置１の外部メモリＩ／Ｆ１３に装着されると、図１４のステップＳ６１に示すように、画像検査装置１は、図１１の構成の場合には、外部メモリーカード６Ａの画像データを取り込む。また、画像検査装置１は、図１２の構成の場合には、外部メモリーカード６Ａに保存された画像データを、メモリーカードリーダ６Ｃ、パソコン４ｃ、ネットワークＩ／Ｆ４ｂ、ハブ４ａを介して、外部通信Ｉ／Ｆ１４Ａにより取得する。
【００６２】
その後、画像検査装置１は、ステップＳ２にて、外部メモリーカード６Ａから取り込んだ画像データに対して文字認識をして、ステップＳ３１以降の処理を行う。このステップＳ３１以降の処理は、図８に示したステップＳ３１以降の処理と同じである。
【００６３】
以上のように、画像検査装置１は、設定作業者が操作するデジタルカメラ６Ｂにより画像データを取得しても、当該画像データを取り込んで、上述した実施形態と同様に通信設定を行うことができる。
【００６４】
［第６実施形態］
つぎに、第２実施形態に係る画像検査装置１について説明する。なお、上述の実施形態と同様の部分については同一符号を付することによりその詳細な説明を省略する。
【００６５】
第６実施形態として示す画像検査装置１は、図１５に示すように、外部通信Ｉ／Ｆ１４Ａと通信回線（インターネット）を介して接続されたデジタルカメラ６Ｂと、外部通信Ｉ／Ｆ１４Ａとインターネットを介して設けられたメーカ側システム５と接続される。
【００６６】
図１２と異なる構成は、外部通信Ｉ／Ｆ１４Ａに対して、ルータ４及びインターネットを介してルータ４ｄが接続され、当該ルータ４ｄに、ネットワークＩ／Ｆ４ｂ、パソコン４ｃ、メモリーカードリーダ６Ｃが接続されていることである。
【００６７】
また、このメーカ側システム５における設定情報供給サーバ５２は、図１６に示すような機能的な構成を有している。設定情報供給サーバ５２は、画像検査装置１から送信された画像データに対して文字認識をする画像認識機能５２ａと、通信機器３の機種別の通信設定情報である機種別設定データ５２ｂと、画像検査装置１に通信設定情報を返信するためのメール作成機能５２ｃと、メールサーバ５３から返信させる通信設定情報を含むメールデータを送受信するメール送受信機能５２ｄとを含む。
【００６８】
このようなシステムにおいて、デジタルカメラ６Ｂは、図１３に示したように、設定作業者により操作されて通信機器３の銘板３２やロゴ等を撮像し（ステップＳ５１）、当該撮像した画像データを外部メモリインターフェース６１を介して外部メモリーカード６Ａに保存する（ステップＳ５２）。
【００６９】
また、パソコン４ｃは、図１７に示すように、ステップＳ７１において、外部メモリーカード６Ａに保存された画像データをメモリーカードリーダ６Ｃにより読み取らせて、画像データを取り込む。次のステップＳ７２において、パソコン４ｃは、ステップＳ７１にて取り込んだ画像データを添付したメールデータを作成し、ステップＳ７３において、当該メールデータをメーカ側システム５のメールサーバ５３宛てに送信する。ここで、パソコン４ｃは、予め通信機器３のメーカのサービス部門のメールアドレスを登録しておき、メールサーバ５３に宛ててメールデータを送信する。
【００７０】
メールサーバ５３は、図９に示したように、メールデータを受信すると、ステップＳ４１において、宛先アドレスが自己のサポートアドレスとなっていることを確認して、添付されていた画像データを設定情報供給サーバ５２に転送する。設定情報供給サーバ５２は、ステップＳ４２において、画像データに対して文字認識をして、ステップＳ４３にて通信機器３の型番情報を取得し、当該型番情報に対応した通信設定情報を取得する。そして、通信設定情報は、メールサーバ５３に供給される。メールサーバ５３は、通信設定情報を取得すると、ステップＳ４４において、当該通信設定情報を含むメールデータを作成し、宛先アドレスを画像検査装置１のアドレスに設定して、返信する。
【００７１】
画像検査装置１は、図１８に示すように、サポート側機器としてのメーカ側システム５から返信されたメールデータの受信を待機する状態となっている（ステップＳ８１）。画像検査装置１は、外部通信Ｉ／Ｆ１４Ａにより、メールサーバ５３からメールデータを受信すると、ステップＳ３４において、メールデータが到着したことを判定する。
【００７２】
次のステップＳ２６’において、ＣＰＵ１１は、ステップＳ３４にて到着したことを判定したメールデータに含まれる通信設定情報を取得する。そして、ＣＰＵ１１は、ステップＳ２７において、当該通信設定情報を用いて、外部通信Ｉ／Ｆ１４Ｂが通信機器３と通信をできるように通信設定を行う。
【００７３】
以上のように、画像検査装置１によれば、通信機器３の銘板３２やロゴの文字認識をできなくても、当該撮像した画像データをパソコン４ｃからメールデータに添付してメーカ側システム５に送信するのみで、当該画像データに対応した通信設定情報を取得できる。これにより、通信機器３の銘板３２やロゴが、予め想定されている形態とは異なっており、文字認識により型番情報が取得できなくても、通信機器３の通信設定情報を取得できる。また、この画像検査装置１によれば、第２実施形態と同様の効果も発揮できる。これにより、画像検査装置１によれば、新たな通信機器３を導入した場合であっても、確実にメーカ側システム５から通信設定情報を取得できる。
【００７４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００７５】
１  画像検査装置
２  カメラ
２’  画像検査装置用カメラ
３  通信機器
４  ルータ
４ａ  ハブ
４ｃ  パソコン
４ｄ  ルータ
５  メーカ側システム
６Ａ  外部メモリーカード
６Ｂ  デジタルカメラ
６Ｃ  メモリーカードリーダ
１１  ＣＰＵ
１２  カメラインターフェース
１３  外部メモリＩ／Ｆ
１４  外部通信Ｉ／Ｆ
１５  ＲＯＭ
１６  ＲＡＭ
５１  ルータ
５２  設定情報供給サーバ
５２ａ  画像認識機能
５２ｂ  機種別設定データ
５２ｃ  メール作成機能
５２ｄ  メール送受信機能
５３  メールサーバ
６１  外部メモリインターフェース
【図１】
2010278503.tif 000003
【図２】
2010278503.tif 000004
【図３】
2010278503.tif 000005
【図４】
2010278503.tif 000006
【図５】
2010278503.tif 000007
【図６】
2010278503.tif 000008
【図７】
2010278503.tif 000009
【図８】
2010278503.tif 000010
【図９】
2010278503.tif 000011
【図１０】
2010278503.tif 000012
【図１１】
2010278503.tif 000013
【図１２】
2010278503.tif 000014
【図１３】
2010278503.tif 000015
【図１４】
2010278503.tif 000016
【図１５】
2010278503.tif 000017
【図１６】
2010278503.tif 000018
【図１７】
2010278503.tif 000019
【図１８】
2010278503.tif 000020